(57)【要約】【課題】フリーラン測定における測定データの取込動作を任意かつ測定用途に応じて適切に制御できるデータ収集装置およびデータ収集方法を提供すること。【解決手段】アクイジションメモリに対して測定データの取込読み出しを制御するデータ処理部と、このデータ処理部にアクイジションメモリへの測定データ取込動作を制御するための取込制御命令を出力する取込指示部と、この取込指示部に所定のトリガ条件を検出してアクイジションメモリへの測定データ取込動作を制御するためのトリガ信号を出力するトリガ回路、とを含むデータ収集装置およびデータ収集方法。【選択図】　　　　図１
2004020372.tif 000002
【特許請求の範囲】
【請求項１】
アクイジションメモリに対して測定データの取込読み出しを制御するデータ処理部と、
このデータ処理部にアクイジションメモリへの測定データ取込動作を制御するための取込制御命令を出力する取込指示部と、
この取込指示部に所定のトリガ条件を検出してアクイジションメモリへの測定データ取込動作を制御するためのトリガ信号を出力するトリガ回路、
とを含むデータ収集装置。
【請求項２】
前記トリガ信号は、測定データに関連した内部トリガであることを特徴とする請求項２記載のデータ収集装置。
【請求項３】
前記トリガ信号は、測定データに関連しない外部トリガであることを特徴とする請求項２記載のデータ収集装置。
【請求項４】
取込指示部から取込制御命令が入力されることによりアクイジションメモリへの測定データ取込制御を待機する第１の工程と、
この待機状態においてトリガ回路が所定のトリガ条件を検出することによりアクイジションメモリへの測定データ取込動作を制御するためのトリガ信号を取込指示部に出力する第２の工程とを含むデータ収集方法。
【請求項５】
前記トリガ条件は、測定データに関連した内部トリガであることを特徴とする請求項４記載のデータ収集方法。
【請求項６】
前記トリガ条件は、測定データに関連しない外部トリガであることを特徴とする請求項４記載のデータ収集方法。
【発明の詳細な説明】
【０００１】
【発明の属する技術分野】
本発明はデータ収集装置およびデータ収集方法に関し、詳しくは、取込制御命令に従って測定データの取込動作を制御するフリーラン測定の改良に関するものである。
【０００２】
【従来の技術】
複雑で高度な測定や多量の測定データを解析処理して表示する測定システムとして、多種多様な複数の計測モジュールをパソコンで制御できるように構成されたネットワーク対応形の測定器が実用化されている。
【０００３】
このような測定器で用いられる計測モジュールの一種に、アナログ信号をデジタル信号に変換してアクイジションメモリに取り込むように構成されたデジタイザモジュールがある。
【０００４】
図４は従来のデジタイザモジュールの一例を示すブロック図である。入力端子１に加えられるアナログ信号は、入力部２においてＡ／Ｄ変換器３の変換動作に適したレベルに調整されて、Ａ／Ｄ変換器３に入力される。Ａ／Ｄ変換器３はアナログ信号をデジタル信号に変換してデータ処理部４に入力する。
【０００５】
データ処理部４は、図５のタイミングチャートに示すように取込指示部５から取込制御命令として測定開始が入力されることによりフリーラン測定を開始し、Ａ／Ｄ変換器３から変換出力されるデジタル信号を測定データとしてアクイジションメモリ６に書き込んでいく。そして、所定量の測定データをアクイジションメモリ６に取り込むと、それらの測定データに対して測定目的に応じて所定のデータ処理を施し、それらのデータ処理結果を測定結果として表示制御部７を介して表示部８に表示する。
【０００６】
【発明が解決しようとする課題】
しかし、図４に示す従来の構成におけるフリーラン測定では、測定を開始したいタイミングを指定する手段がないため、例えばある異常現象を観測した場合にその時点を含む現象についてフリーラン測定を行いたいという要求に対して応えることができなかった。対策として、異常現象を検出してから計測モジュールに測定開始命令を発行することが考えられるが、一応の対応はできても通信のタイムラグもあり、使い勝手はあまりよくない。
【０００７】
本発明は、このような問題を解決するものであり、その目的は、フリーラン測定における測定データの取込動作を任意かつ測定用途に応じて適切に制御できるデータ収集装置およびデータ収集方法を提供することにある。
【０００８】
【課題を解決するための手段】
このような目的を達成する請求項１の発明は、
アクイジションメモリに対して測定データの取込読み出しを制御するデータ処理部と、
このデータ処理部にアクイジションメモリへの測定データ取込動作を制御するための取込制御命令を出力する取込指示部と、
この取込指示部に所定のトリガ条件を検出してアクイジションメモリへの測定データ取込動作を制御するためのトリガ信号を出力するトリガ回路、
とを含むデータ収集装置である。
【０００９】
請求項２の発明は、請求項１記載のデータ収集装置において、
前記トリガ信号は、測定データに関連した内部トリガであることを特徴とする。
【００１０】
請求項３の発明は、請求項２記載のデータ収集装置において、
前記トリガ信号は、測定データに関連しない外部トリガであることを特徴とする。
【００１１】
これらにより、フリーラン測定をトリガ信号に基づいて制御できるデータ収集装置が実現できる。そして、トリガ条件を測定データに関連した内部トリガとすることで測定データの特異現象のデータを確実に取り込むことができ、測定データに関連しない外部トリガとすることで測定データの取込動作を任意のタイミングで制御できる。
【００１２】
請求項４の発明は、
取込指示部から取込制御命令が入力されることによりアクイジションメモリへの測定データ取込制御を待機する第１の工程と、
この待機状態においてトリガ回路が所定のトリガ条件を検出することによりアクイジションメモリへの測定データ取込動作を制御するためのトリガ信号を取込指示部に出力する第２の工程とを含むデータ収集方法である。
【００１３】
請求項５の発明は、請求項４記載のデータ収集方法において、
前記トリガ信号は、測定データに関連した内部トリガであることを特徴とする。
【００１４】
請求項６の発明は、請求項４記載のデータ収集方法において、
前記トリガ信号は、測定データに関連しない外部トリガであることを特徴とする。
【００１５】
これらにより、フリーラン測定動作をトリガ信号に基づいて制御できるデータ収集方法が実現できる。そして、トリガ条件を測定データに関連した内部トリガとすることで測定データの特異現象のデータを確実に取り込むことができ、測定データに関連しない外部トリガとすることでアクイジションメモリへの測定データ取込動作を任意のタイミングで制御できる。
【００１６】
【発明の実施の形態】
以下、図面を用いて本発明の実施態様を説明する。
図１は本発明の実施態様の一例を示すブロック図であり、図４と共通する部分には同一の符号を付けている。図１と図４の異なる点は、図１にはトリガ回路９を設けていることである。すなわち、図１では、入力部２の出力側にはＡ／Ｄ変換器３とともにトリガ回路９の接続されている。
【００１７】
このトリガ回路９は、例えば入力部２から出力されるアナログ信号レベルに対してトリガ条件を設定するものであり、所定の設定値を超えた場合にはトリガ条件が成立したものとしてトリガ信号を取込指示部５に出力する。
【００１８】
取込指示部５は、トリガ信号を受信することにより、データ処理部４に対してアクイジションメモリ６への測定データの取込動作、例えば測定データの取込開始を制御するための制御信号を出力する。
【００１９】
図２は図１の動作例を示すタイミングチャートである。取込指示部５から取込制御命令として測定開始命令が入力されることにより、データ処理部４はアクイジションメモリ６への測定データ取込制御を待機する。トリガ回路９がトリガ条件の成立を検出してトリガ信号を取込指示部５に出力すると、取込指示部５はデータ処理部４にアクイジションメモリ６への測定データの取込開始を制御するための制御信号を出力する。
【００２０】
これにより、データ処理部４は、アクイジションメモリ６にＡ／Ｄ変換器３の出力データを書き込むように制御する。そして、アクイジションメモリ６に所定量の測定データが書き込まれると、従来と同様にそれらの測定データに対して測定目的に応じて所定のデータ処理を施し、それらのデータ処理結果を測定結果として表示制御部７を介して表示部８に表示する。
【００２１】
図３は図２の動作の流れを説明するフローチャートである。取込指示部５から取込制御命令として測定開始命令が入力されることにより（ＳＰ１）、フリーラン測定が開始されるが（ＳＰ２）、トリガ信号待ちの状態に移行する（ＳＰ３）。この待機状態においてトリガ回路９からトリガ信号が出力されると、アクイジションメモリ６にＡ／Ｄ変換器３の出力データが書き込まれる（ＳＰ４）。そして、アクイジションメモリ６に所定量の測定データが書き込まれると、それらの測定データに対して測定目的に応じた所定のデータ処理が施され、それらのデータ処理結果が測定結果として表示部８に表示される（ＳＰ５）。
【００２２】
このように、図１の構成によれば、フリーラン測定をトリガ信号に基づいて制御できるデータ収集装置が実現できる。そして、トリガ条件を測定データに関連した内部トリガとすることで測定データの特異現象のデータを確実に取り込むことができ、測定データに関連しない外部トリガとすることで測定データの取込動作を任意のタイミングで制御できる。
【００２３】
なお、図１ではデータ収集装置の例を説明したが、本発明はデータ収集装置に限るものではなく、データ収集方法にも有効である。
【００２４】
また、上記実施例ではトリガ条件の成立を検出してアクイジションメモリ６への測定データの取り込みを開始する例を説明したが、トリガ条件の成立を検出して測定を停止するようにしてもよいし、さらにトリガ条件が成立している期間だけ測定を行うゲート機能を持つフリーラン測定であってもよい。
【００２５】
さらに、上記実施例では、多種多様な複数の計測モジュールをパソコンで制御できるように構成されたネットワーク対応形の測定器におけるデジタイザモジュールについて説明したが、その他のフリーラン測定機能を持つデジタイザモジュールにも展開できるものである。
【００２６】
【発明の効果】
以上説明したように、本発明によれば、フリーラン測定における測定データの取込動作を任意かつ測定用途に応じて適切に制御できるデータ収集装置およびデータ収集方法を実現でき、複雑で高度な各種測定に好適である。
【図面の簡単な説明】
【図１】本発明の実施態様の一例を示すブロック図である。
【図２】図１の動作例を示すタイミングチャートである。
【図３】図１の動作例を示すフローチャートである。
【図４】従来のデータ収集装置の一例を示すブロック図である。
【図５】図４の動作例を示すタイミングチャートである。
【符号の説明】
１　入力端子
２　入力部
３　Ａ／Ｄ変換器
４　データ処理部
５　取込指示部
６　アクイジションメモリ
７　表示制御部
８　表示部
９　トリガ回路
【図１】
2004020372.tif 000003
【図２】
2004020372.tif 000004
【図３】
2004020372.tif 000005
【図４】
2004020372.tif 000006
【図５】
2004020372.tif 000007